(57)【要約】【課題】  パワーセーブモード時に、外部電源からメイン電源への電源供給をオフできることで、消費電力を無くすことができる表示装置を提供する。【解決手段】  ホスト機器９０と接続可能な接続インタフェース２と、接続インタフェース２を介して入力される映像信号および同期信号に基づいた映像を表示する映像表示部４と、外部電源からの電源を、映像表示部４に供給するメイン電源１２と、メイン電源１２への電源供給をオン／オフする電源スイッチ１４と、接続インタフェース２を介して供給される回路電源により駆動可能に設けられ、接続インタフェース２を介して前記同期信号が入力されなくなった際には、電源スイッチ１４をオフにしてメイン電源１２への電源供給を遮断し、前記同期信号が入力された際には、電源スイッチ１４をオンにしてメイン電源１２へ電源を供給するパワーセーブ制御回路１０，６とを備える。【選択図】          図１
2005049651.tif 000002
【特許請求の範囲】
【請求項１】
ホスト機器と接続可能に設けられ、該ホスト機器から映像信号と該映像信号の同期信号とが入力されると共に、該ホスト機器から電子回路駆動用の回路電源が供給される接続インタフェースと、
該接続インタフェースを介して入力される前記映像信号および前記同期信号に基づいた映像を表示する映像表示部と、
外部電源からの電源を、前記映像表示部に供給するメイン電源と、
該メイン電源への電源供給をオン／オフする電源スイッチと、
前記接続インタフェースを介して供給される前記回路電源により駆動可能に設けられ、前記ホスト機器から、前記接続インタフェースを介して前記同期信号が入力されなくなった際には、前記電源スイッチをオフにして前記メイン電源への電源供給を遮断して、前記映像表示部への電源の供給を止め、前記同期信号が入力された際には、前記電源スイッチをオンにして前記メイン電源へ電源を供給して、前記映像表示部に電源を供給するパワーセーブ制御回路とを備えることを特徴とする表示装置。
【請求項２】
前記パワーセーブ制御回路を駆動させる電源を、前記回路電源から供給するか、前記メイン電源から供給するかを切り換える回路電源スイッチを備え、
前記パワーセーブ制御回路は、前記ホスト機器から、前記接続インタフェースを介して前記同期信号が入力されなくなった際には、前記回路電源スイッチを、前記回路電源から当該パワーセーブ制御回路に電源を供給させるよう切り換え、前記同期信号が入力された際には、前記回路電源スイッチを、前記メイン電源から当該パワーセーブ制御回路に電源を供給させるよう切り換えることを特徴とする請求項１記載の表示装置。
【請求項３】
ホスト機器と接続可能に設けられ、該ホスト機器から映像信号と該映像信号の同期信号とパワーセーブ移行信号および／または表示復帰信号とが入力されると共に、該ホスト機器から電子回路駆動用の回路電源が供給される接続インタフェースと、
該接続インタフェースを介して入力される前記映像信号および前記同期信号に基づいた映像を表示する映像表示部と、
外部電源からの電源を、前記映像表示部に供給するメイン電源と、
該メイン電源への電源供給をオン／オフする電源スイッチと、
前記接続インタフェースを介して供給される前記回路電源により駆動可能に設けられ、前記ホスト機器から、前記接続インタフェースを介して前記同期信号が入力されなくなったか、または前記パワーセーブ移行信号が入力された際には、前記電源スイッチをオフにして前記メイン電源への電源供給を遮断して、前記映像表示部への電源の供給を止め、前記同期信号が入力されたか、または前記表示復帰信号が入力された際には、前記電源スイッチをオンにして前記メイン電源へ電源を供給して、前記映像表示部に電源を供給するパワーセーブ制御回路とを備えることを特徴とする表示装置。
【請求項４】
前記パワーセーブ制御回路を駆動させる電源を、前記回路電源から供給するか、前記メイン電源から供給するかを切り換える回路電源スイッチを備え、
前記パワーセーブ制御回路は、前記ホスト機器から、前記接続インタフェースを介して、前記同期信号が入力されなくなったか、または前記パワーセーブ移行信号が入力された際には、前記回路電源スイッチを、前記回路電源から当該パワーセーブ制御回路に電気を供給させるよう切り換え、前記同期信号が入力されたか、または前記表示復帰信号が入力された際には、前記回路電源スイッチを、前記メイン電源から当該パワーセーブ制御回路に電気を供給させるよう切り換えることを特徴とする請求項３記載の表示装置。
【発明の詳細な説明】
【技術分野】
【０００１】
本発明は、パソコン等のホスト機器に接続され、ホスト機器から入力された映像信号と同期信号とに基づいて映像を表示し、同期信号の有無等に基づいてパワーセーブモードとなるモニタ等の表示装置に関するものである。
【背景技術】
【０００２】
従来より、パソコン等のホスト機器がパワーセーブモードに移行し、ホスト機器から表示装置に同期信号（水平および垂直同期信号の一方または両方）が入力されなくなった際に、液晶ディスプレイ等の映像表示部への電源の供給を止めて、消費電力を低減させるパワーセーブモードに移行する表示装置がある。
【０００３】
特許文献１には、パワーセーブモードに移行する機能を備えた従来の液晶ディスプレイ装置の一つが記載されている。
【０００４】
特許文献１記載の液晶ディスプレイ装置１は、ＡＣ入力ポート１２に接続された電源回路４により、液晶パネル４と、ＰＣ１１からのアナログ信号を液晶パネル４に表示するためのディジタル信号へ変換するための信号処理回路２と、液晶パネル４のバックライトを制御するインバータ回路３とに、電源を供給する（第３図、段落００２４）。
また、ＡＣ入力ポート１２に接続された待機用電源７により、制御マイコン６および、再起動信号発生回路１３とに、電源を供給する（第３図、段落００２７）。
【０００５】
特許文献１記載の液晶ディスプレイ装置１は、ＰＣ１１から水平同期信号および／または垂直同期信号の入力がなくなったことを検出すると、制御マイコン６によりスイッチ５をオフさせ、電源回路４からの各回路（信号処理回路２、インバータ回路３、液晶パネル４）への電源供給を遮断する（段落００２８）と共に、制御マイコン６内の発信回路９を停止する（段落００３１）。
そして、ＰＣ１１からの水平／垂直同期信号の検出は再起動信号発生回路１３により行い、水平／垂直同期信号の検出時には、再起動信号発生回路１３からの割り込み信号により制御マイコン６を再起動して、制御マイコン６によりスイッチ５をオンさせ、各回路（信号処理回路２、インバータ回路３、液晶パネル４）に電源を供給し、液晶パネル４に映像を表示する（通常動作状態）（段落００３３−００３５）。
【０００６】
これによれば、オフステート（パワーセーブモード）時には発信回路９を停止できるために、節電効果の高いディスプレイ装置を提供できるものとしている（段落００３６）。
【特許文献１】特開２００２−２５８８１１号公報
【発明の開示】
【発明が解決しようとする課題】
【０００７】
しかしながら、特許文献１記載の液晶ディスプレイ装置１等の従来の表示装置においては、パワーセーブモードから表示モードへ復帰するための、ホスト機器（ＰＣ１１）からの信号を検出する制御部（制御マイコン６や再起動信号発生回路１３）に対して、表示装置の電源（待機用電源７）によって電源を供給しているため、表示装置の消費電力を無くすことができないという課題がある。
（なお、ここまで、符号は特許文献１中で付されているものを用いた）
【課題を解決するための手段】
【０００８】
本発明に係る表示装置は、上記課題を解決するために、以下の構成を備える。すなわち、ホスト機器と接続可能に設けられ、該ホスト機器から映像信号と該映像信号の同期信号とが入力されると共に、該ホスト機器から電子回路駆動用の回路電源が供給される接続インタフェースと、該接続インタフェースを介して入力される前記映像信号および前記同期信号に基づいた映像を表示する映像表示部と、外部電源からの電源を、前記映像表示部に供給するメイン電源と、該メイン電源への電源供給をオン／オフする電源スイッチと、前記接続インタフェースを介して供給される前記回路電源により駆動可能に設けられ、前記ホスト機器から、前記接続インタフェースを介して前記同期信号が入力されなくなった際には、前記電源スイッチをオフにして前記メイン電源への電源供給を遮断して、前記映像表示部への電源の供給を止め、前記同期信号が入力された際には、前記電源スイッチをオンにして前記メイン電源へ電源を供給して、前記映像表示部に電源を供給するパワーセーブ制御回路とを備えることを特徴とする。
これによれば、同期信号の入力状態に応じて前記電源スイッチを切り換えることでパワーセーブモードと表示モードとの切り換えを制御するパワーセーブ制御回路は、前記接続インタフェースを介してホスト機器から供給される回路電源によって駆動可能なため、パワーセーブモード時には、電源スイッチによって、外部電源から表示装置のメイン電源への電源供給をオフすることができ、従って表示装置の消費電力を無くすことができる。
【０００９】
さらに、前記パワーセーブ制御回路を駆動させる電源を、前記回路電源から供給するか、前記メイン電源から供給するかを切り換える回路電源スイッチを備え、前記パワーセーブ制御回路は、前記ホスト機器から、前記接続インタフェースを介して前記同期信号が入力されなくなった際には、前記回路電源スイッチを、前記回路電源から当該パワーセーブ制御回路に電源を供給させるよう切り換え、前記同期信号が入力された際には、前記回路電源スイッチを、前記メイン電源から当該パワーセーブ制御回路に電源を供給させるよう切り換えることを特徴とする。
これによれば、外部電源からメイン電源に電源が供給されている表示モード時には、パワーセーブ制御回路に、前記回路電源より信頼性や安定性を保証しやすいメイン電源から電源を供給することができる。
【００１０】
また、ホスト機器と接続可能に設けられ、該ホスト機器から映像信号と該映像信号の同期信号とパワーセーブ移行信号および／または表示復帰信号とが入力されると共に、該ホスト機器から電子回路駆動用の回路電源が供給される接続インタフェースと、該接続インタフェースを介して入力される前記映像信号および前記同期信号に基づいた映像を表示する映像表示部と、外部電源からの電源を、前記映像表示部に供給するメイン電源と、該メイン電源への電源供給をオン／オフする電源スイッチと、前記接続インタフェースを介して供給される前記回路電源により駆動可能に設けられ、前記ホスト機器から、前記接続インタフェースを介して前記同期信号が入力されなくなったか、または前記パワーセーブ移行信号が入力された際には、前記電源スイッチをオフにして前記メイン電源への電源供給を遮断して、前記映像表示部への電源の供給を止め、前記同期信号が入力されたか、または前記表示復帰信号が入力された際には、前記電源スイッチをオンにして前記メイン電源へ電源を供給して、前記映像表示部に電源を供給するパワーセーブ制御回路とを備えることを特徴とする。
これによれば、同期信号や、他のパワーセーブ移行信号および／または表示復帰信号の入力状態に応じて前記電源スイッチを切り換えることでパワーセーブモードと表示モードとの切り換えを制御するパワーセーブ制御回路は、前記接続インタフェースを介してホスト機器から供給される回路電源によって駆動可能なため、パワーセーブモード時には、電源スイッチによって、外部電源から表示装置のメイン電源への電源供給をオフすることができ、従って表示装置の消費電力を無くすことができる。
【００１１】
さらに、前記パワーセーブ制御回路を駆動させる電源を、前記回路電源から供給するか、前記メイン電源から供給するかを切り換える回路電源スイッチを備え、前記パワーセーブ制御回路は、前記ホスト機器から、前記接続インタフェースを介して、前記同期信号が入力されなくなったか、または前記パワーセーブ移行信号が入力された際には、前記回路電源スイッチを、前記回路電源から当該パワーセーブ制御回路に電気を供給させるよう切り換え、前記同期信号が入力されたか、または前記表示復帰信号が入力された際には、前記回路電源スイッチを、前記メイン電源から当該パワーセーブ制御回路に電気を供給させるよう切り換えることを特徴とする。
これによれば、外部電源からメイン電源に電源が供給されている表示モード時には、パワーセーブ制御回路に、前記回路電源より信頼性や安定性を保証しやすいメイン電源から電源を供給することができる。
【発明の効果】
【００１２】
本発明の表示装置は、パワーセーブモード時に、外部電源からメイン電源への電源供給をオフできることで、消費電力を無くすことができるという利点がある。
【発明を実施するための最良の形態】
【００１３】
以下、本発明に係る表示装置を実施するための最良の形態を、添付図面に基づいて詳細に説明する。
【実施例１】
【００１４】
図１は、本発明に係る表示装置の実施例１である液晶表示装置Ａの内部構成を示すブロック図である。
液晶表示装置Ａは、ホスト機器としてのパーソナルコンピュータ（以下、ＰＣと呼ぶ）９０に、例えば１５ピンＤ−ｓｕｂコード等の接続ケーブル９２を介して接続される。接続ケーブル９２は、一端が、ＰＣ９０の、例えば１５ピンＤ−ｓｕｂコネクタ端子等の接続インタフェース９０ａに、他端が、液晶表示装置Ａの、例えば１５ピンＤ−ｓｕｂコネクタ端子等の接続インタフェース２に、それぞれ接続される。
なお、液晶表示装置Ａは、必ずしもＰＣ９０と物理的に別体に設ける必要はなく、例えば、ＰＣ９０と一体に形成されて、ＰＣ９０内でＰＣ９０のメインボード（制御部）等と接続されていても良い。
【００１５】
ＰＣ９０は、キーボードやマウス等の、ユーザーが操作してデータ等を入力可能な、図示しない入力手段と、ＣＰＵやメモリやハードディスク等から成り、ソフトウェアプログラムを実行可能な、図示しない制御部とを備える。
また、ＰＣ９０には、液晶表示装置Ａに映像を表示させたり、液晶表示装置Ａを制御したりするための、液晶表示装置デバイスドライバが、ＰＣ９０の前記制御部にコンピュータ読み取り可能に設けられ（インストールされ）ている。
【００１６】
ＰＣ９０は、接続インタフェース９０ａおよび接続ケーブル９２を介して、液晶表示装置Ａに、映像信号や同期信号（垂直同期信号および水平同期信号）を送信する。液晶表示装置Ａには、接続ケーブル９２が接続された接続インタフェース２から、その映像信号や同期信号が入力される。
なお、１５ピンＤ−ｓｕｂコネクタを例に取ると、映像信号は第１，２，３ピン、垂直同期信号は第１４ピン、水平同期信号は第１３ピンから、液晶表示装置Ａにそれぞれ入力される。
【００１７】
また、ＰＣ９０は、接続インタフェース９０ａおよび接続ケーブル９２を介して、液晶表示装置Ａに、電子回路駆動用の回路電源として、いわゆる５Ｖ電源を供給する。液晶表示装置Ａには、接続インタフェース２から、その５Ｖ電源が供給される。
この５Ｖ電源は、ＰＣ９０の接続インタフェース９０ａに例えば電源を持たないプラグ＆プレイ機器が接続された場合に、そのプラグ＆プレイ機器に電源を供給する目的等で設けられているものであるが、通常、独自の電源（メイン電源）を持つ表示機器では使用されていない。
なお、１５ピンＤ−ｓｕｂコネクタを例に取ると、５Ｖ電源は第９ピンから、液晶表示装置Ａに入力されている。
【００１８】
ＰＣ９０は、例えばユーザーによる前記入力手段への操作が所定時間行われなかった際に、接続インタフェース９０ａおよび接続ケーブル９２を介して液晶表示装置Ａに出力していた垂直同期信号および／または水平同期信号を止める。液晶表示装置Ａは、ＰＣ９０から垂直同期信号および／または水平同期信号が入力されなくなると、パワーセーブモードに移行する。
また、ＰＣ９０は、パワーセーブモード中に、前記入力手段に対して何らかの操作が行われた際には、垂直同期信号および水平同期信号を再出力する。液晶表示装置Ａは、ＰＣ９０から垂直同期信号および水平同期信号が入力されると、パワーセーブモードから表示モードに復帰する。
【００１９】
なお、液晶表示装置Ａがパワーセーブモードに移行するトリガは、垂直同期信号および水平同期信号のいずれか一方が入力されなくなったときとしてもよいし、垂直同期信号および水平同期信号の両方が入力されなくなったときとしてもよい。すなわち、本願請求の範囲でいう「同期信号が入力されなくなった際」の語は、垂直同期信号および水平同期信号のいずれか一方が入力されなくなった場合も、その両方が入力されなくなった場合も含む。
【００２０】
なお、本実施の形態においては、液晶表示装置Ａが、パワーセーブモードへ移行、および表示モードへ復帰するトリガは、垂直同期信号および／または水平同期信号の入力が止められたり再開（入力）されたりすることである例のみを挙げているが、本発明はこれに限定されない。
すなわち、本願請求項３および４にあるように、ホスト機器から、同期信号以外の、何らかのパワーセーブ移行信号／表示復帰信号が表示装置に入力されることによって（入力されることをトリガに）、パワーセーブモードへの移行／表示モードへの復帰を行うよう構成してもよい。
【００２１】
次に、液晶表示装置Ａの内部構成について、図１に基づいて説明する。
なお、図１のブロック図において、一本線の矢印は、信号や制御の流れを示し、二本線の矢印は、電源の供給の流れを示している。
液晶表示装置Ａは、前記接続インタフェース２と、制御回路６と、同期信号検知回路１０と、映像表示部としての液晶表示部４と、外部電源コード８と、電源スイッチ１４と、メイン電源１２と、回路電源スイッチ１６とを備える。
【００２２】
液晶表示部４は、液晶パネル部とバックライト部とからなり、映像を表示可能に設けられる。
制御回路６は、ＣＰＵやメモリ等を備えたマイコン部に構成され、接続インタフェース２から入力された映像信号および同期信号に基づく映像を液晶表示部４に表示させるべく、その映像信号および同期信号を液晶表示部４に表示させるのに適した信号に信号処理すると共に、その信号処理した信号を液晶表示部４に送信して表示制御を行う。
【００２３】
外部電源コード８は、１００Ｖ交流電源等の外部電源に接続され、外部電源から液晶表示装置Ａに電源を供給する。
メイン電源１２は、外部電源コード８を介して１００Ｖ交流電源等の外部電源に接続され、その外部電源を、液晶表示部４が映像を表示するために、前記液晶パネル部や前記バックライト部を駆動するのに適した所定条件の電源に変換して液晶表示部４に供給し、また、回路駆動に適した所定条件（直流５Ｖ）の電源に変換して制御回路６や同期信号検知回路１０（後述）に供給可能に設けられた電源回路である。
電源スイッチ１４は、前記外部電源からの電源をメイン電源１２に入力させる（オン）か否（オフ）かを切り換えることができるスイッチである。
回路電源スイッチ１６は、制御回路６と同期信号検知回路１０（後述）に、接続インタフェース２から入力された前記回路電源からの電源を供給するか、メイン電源１２からの電源を供給するかを切り換えることができるスイッチである。
【００２４】
同期信号検知回路１０は、接続インタフェース２から入力された前記回路電源およびメイン電源１２からの電源により駆動可能に設けられ、前記ＰＣ９０から、接続インタフェース２を介して前記同期信号（垂直同期信号および水平同期信号のいずれか一方）が入力されなくなった際には、制御回路６に、同期信号が入力されなくなったことを示す同期信号無し信号を出力し、一方、接続インタフェース２を介して同期信号（垂直同期信号および水平同期信号の両方）が入力された際には、制御回路６に、同期信号が入力されていることを示す同期信号有り信号を出力する。
【００２５】
また、制御回路６は、電源切り換え制御と、電源オン／オフ制御とを行う。
すなわち、制御回路６は、同期信号検知回路１０から前記同期信号無し信号が入力されると、回路電源スイッチ１６を、前記回路電源から同期信号検知回路１０および制御回路６に電源を供給させるよう切り換えた（電源切り換え制御をした）後、電源スイッチ１４を、前記外部電源からの電源をメイン電源１２に入力させないよう切り換えて（オフにして）、液晶表示部４への電源の供給を止めさせる（電源オン／オフ制御）ことで、液晶表示装置Ａをパワーセーブモードへ移行させる。また、制御回路６は、同期信号検知回路１０から前記同期信号有り信号が入力されると、電源スイッチ１４を、前記外部電源からの電源をメイン電源１２に入力させるよう切り換えて（オンにして）、液晶表示部４に電源を供給させた（電源オン／オフ制御）後、回路電源スイッチ１６を、メイン電源１２から同期信号検知回路１０および制御回路６に電源を供給させるよう切り換える（電源切り換え制御をする）ことで、液晶表示装置Ａを表示モードへ移行させる。
【００２６】
すなわち、同期信号検知回路１０と制御回路６とにより、回路電源スイッチ１６および電源スイッチ１４を切り換える制御を行う、パワーセーブ制御回路が構成される。
【００２７】
本実施例１に係る液晶表示装置Ａによれば、パワーセーブモード時には、電源スイッチ１４をオフにして、メイン電源１２への外部電源の入力を全く無くすことができるため、従来のように、表示装置の電源回路に外部電源が供給されている場合に比較して、電源回路（メイン電源１２）の電力消費を皆無にして、節電効果を非常に高めることができる。
なお、ＰＣ９０から接続インタフェース２を介して供給された回路電源（５Ｖ電源）を、パワーセーブ制御回路の駆動に利用するため、厳密に言えば、ＰＣ９０側の消費電力は若干上がることになるが、一般的に、パワーセーブ制御回路等の小さな電子回路の消費電力は、表示装置の電源回路で消費される電力に比較して非常に小さいものであるため、ＰＣ９０側の消費電力の上昇分の影響は非常に小さいものであり、結局、ホスト機器と表示装置との合計消費電力は、従来に比較して小さくできるものである。
【００２８】
なお、近年、ＣＰＵ自体が、スリープモード等の省電力モードに移行する機能をもち、省電力モード時には消費電力を小さくすることのできるものが普及しているので、同期信号検知回路１０からの前記同期信号無し信号によって制御回路６のＣＰＵが省電力モードに移行し、同期信号検知回路１０からの前記同期信号有り信号によってＣＰＵが省電力モードから復帰するよう構成すれば、液晶表示装置Ａのパワーセーブモード時にＣＰＵ（制御回路６、延いてはパワーセーブ制御回路）の消費電力を小さく抑えて、結果としてＰＣ９０の消費電力を小さく抑えることができ、さらに好適である。
【００２９】
また、液晶表示装置Ａによれば、外部電源からの電源がメイン電源１２に供給されている表示モード時には、制御回路６および同期信号検知回路１０に、ＰＣ９０からの前記回路電源より信頼性や安定性を保証しやすいメイン電源１２から電源を供給することができ、制御回路６および同期信号検知回路１０をより安定的に駆動させることが可能となる。
【００３０】
なお、ＰＣ９０から接続インタフェース２を介して供給される回路電源は、一般的に、電圧や電流等が不安定であることもあるので、必要に応じて整流回路等を設けて、当該回路電源から供給される電源（電気）を整流するとさらに好適である。
【００３１】
なお、本実施例１においては、メイン電源１２は、液晶表示部４に供給するための所定条件に変換する電源回路と、回路駆動に適した所定条件（直流５Ｖ）に変換する電源回路との両者を含んでいるが、もちろん両者を別々の回路に構成しても良い。その場合でも、本実施例１の液晶表示装置Ａによれば、両電源回路への外部電源の入力を切ることができ、消費電力を効果的に抑えることができる。
【実施例２】
【００３２】
次に、本発明に係る表示装置の実施例２である液晶表示装置Ｂについて説明する。
図２は、液晶表示装置Ｂの内部構成を示すブロック図である。
なお、実施例２の液晶表示装置Ｂにおいて、前記実施例１の液晶表示装置Ａと同様の構成については、同一の符号を付して説明を省略する。
【００３３】
液晶表示装置Ｂは、実施例１の回路電源スイッチ１６を備えず、制御回路６および同期信号検知回路１０からなるパワーセーブ制御回路は、常時、接続インタフェース２から入力された回路電源（５Ｖ電源）により駆動されている。また、メイン電源１２は、制御回路６や同期信号検知回路１０に電源を供給する必要がないため、回路駆動に適した所定条件（直流５Ｖ）に変換する回路を有さない。
【００３４】
実施例２の液晶表示装置Ｂの構成によれば、実施例１の液晶表示装置Ａに比較して、回路電源スイッチ１６をなくすと共にメイン電源１２の構成を単純化することができるために、構成を単純化かつ低コスト化できる。さらに、回路駆動に適した所定条件（直流５Ｖ）に変換する電源回路は、ＰＣ９０側にのみ設ければよいため、無駄な電源回路を無くして、表示モード中でも消費電力を抑えることができる。
【実施例３】
【００３５】
次に、本発明に係る表示装置の実施例３である液晶表示装置Ｃについて説明する。
図３は、液晶表示装置Ｃの内部構成を示すブロック図である。
なお、実施例３の液晶表示装置Ｃにおいて、前記実施例１の液晶表示装置Ａと同様の構成については、同一の符号を付して説明を省略する。
【００３６】
液晶表示装置Ｃは、実施例１の回路電源スイッチ１６を備えず、同期信号検知回路１０は、常時、接続インタフェース２から入力された回路電源（５Ｖ電源）により駆動されている。
一方、制御回路６には、メイン電源１２からのみ電源が供給され、接続インタフェース２から入力された回路電源からは供給されない。
【００３７】
また、制御回路６は、電源スイッチ１４の制御は行わず、パワーセーブ制御回路を構成しない。
一方、同期信号検知回路１０は、電源スイッチ１４を制御し、単体でパワーセーブ制御回路を構成する。すなわち、同期信号検知回路１０は、ＰＣ９０から、接続インタフェース２を介して前記同期信号（垂直同期信号および水平同期信号のいずれか一方）が入力されなくなった際には、電源スイッチ１４を、前記外部電源からメイン電源１２へ電源供給しないよう切り換えて（オフにして）、液晶表示部４への電源の供給を止めさせる（電源オン／オフ制御）ことで、液晶表示装置Ｃをパワーセーブモードへ移行させる。また、同期信号検知回路１０は、接続インタフェース２を介して同期信号（垂直同期信号および水平同期信号の両方）が入力された際には、電源スイッチ１４を、前記外部電源からの電源をメイン電源１２に供給させるよう切り換えて（オンにして）、液晶表示部４に電源を供給させる（電源オン／オフ制御）ことで、液晶表示装置Ｃを表示モードへ移行させる。
【００３８】
実施例３の液晶表示装置Ｃの構成によれば、実施例１の液晶表示装置Ａに比較して、回路電源スイッチ１６をなくすことで、構成を単純化かつ低コスト化できる。さらに、パワーセーブモード中、ＰＣ９０から供給された回路電源を、制御回路６に供給しないため、ＰＣ９０の消費電力を低減させることができる。
【００３９】
なお、制御回路６への電源の供給を、制御回路６が認識することなく止めてしまうことに問題がある場合には、同期信号検知回路１０が、電源スイッチ１４をオフする前に、制御回路６に対して前記同期信号無し信号を送信して、例えば制御回路６が電源をオフされることに対して準備するための十分な時間が経過した後に、同期信号検知回路１０が、電源スイッチ１４をオフする制御を行うよう構成すればよい。
【産業上の利用可能性】
【００４０】
上記実施例は、映像表示部として液晶表示部４を備える液晶表示装置Ａ〜Ｃであるが、本発明はこれに限定されず、例えば、映像表示部としてブラウン管を備えるＣＲＴ表示装置等、映像を表示するあらゆる装置に適用できるものである。
【図面の簡単な説明】
【００４１】
【図１】実施例１に係る表示装置のブロック図である。
【図２】実施例２に係る表示装置のブロック図である。
【図３】実施例３に係る表示装置のブロック図である。
【符号の説明】
【００４２】
Ａ，Ｂ，Ｃ  液晶表示装置
２  接続インタフェース
４  液晶表示部（映像表示部）
６  制御回路（パワーセーブ制御回路。実施例３を除く）
８  外部電源コード
１０  同期信号検知回路（パワーセーブ制御回路）
１２  メイン電源
１４  電源スイッチ
１６  回路電源スイッチ
９０  ＰＣ（ホスト機器）
【図１】
2005049651.tif 000003
【図２】
2005049651.tif 000004
【図３】
2005049651.tif 000005